(57)【要約】【課題】特定期間での節電協力の見返りを各世帯に施す結果、特定期間での電力消費量を抑えることができる電力消費量抑制方法と、このような電力消費量抑制方法を実現するための装置としてコンピュータを機能させる電力消費量抑制プログラムとを、提供する。【解決手段】サーバ装置３０は、節電すべき日時に在宅予定者がいる各世帯の世帯用端末装置２０へ、その日時での節電の協力を依頼する旨とともにその日時において予約をすると優待を受けられる業者に関する情報が記載された電子メールを、それぞれ送信する。この応答として何れかの世帯用端末装置２０から予約者に関する情報を受信すると、サーバ装置３０は、世帯の構成員であって特定期間に在宅する構成員のうちの二人以上が、何れかの業者に対してその特定期間での予約を入れた者として予約管理テーブル３４に記憶されている場合に、優待が受けられるとして、予約完了通知の電子メールを送信する。【選択図】図１１
2005099991.tif 000002
【特許請求の範囲】
【請求項１】
コンピュータが、
任意に特定された期間を指定する情報を入力装置を通じて受け付けると、一つ以上の世帯のそれぞれについてその世帯の通知先とその世帯の各構成員を識別するための構成員情報と各構成員の在宅期間とを記憶した第１の記憶装置から、その特定期間に在宅する構成員のいる世帯の通知先を読み出し、
一つ以上の業者のそれぞれについてその業者を識別するための業者情報とその業者による利用者への優待の期間とを記憶した第２の記憶装置から、前記特定期間に利用者を優待する業者の業者情報を読み出し、
前記特定期間での節電協力の依頼に関する情報とその特定期間に利用者を優待する業者の業者情報とを、前記第１の記憶装置から読み出した前記通知先へ、通信装置を通じて送信し、
その送信の応答として何れかの通知先から業者情報と幾つかの構成員情報とを通信装置を通じて受信すると、それら業者情報と特定期間と構成員情報とを対応付ける対応情報を、受信した構成員情報毎に第３の記憶装置に記憶し、
記憶した際に、その通知先の世帯の構成員であって前記特定期間に在宅する構成員の構成員情報と前記特定期間とを持つ対応情報が前記第３の記憶装置に所定数以上記憶されていた場合に、前記業者情報にて示される業者においてその特定期間に優待を受けられる旨を、応答のあった前記通知先へ通信装置を通じて通知する
ことを特徴とする電力消費量抑制方法。
【請求項２】
コンピュータを、
任意に特定された期間を指定する情報を入力装置を通じて受け付ける入力手段，
一つ以上の世帯のそれぞれについてその世帯の通知先とその世帯の各構成員を識別するための構成員情報と各構成員の在宅期間とを記憶した第１の記憶装置から、前記入力手段において受け付けた特定期間に在宅する構成員のいる世帯の通知先を読み出す第１読出手段，
一つ以上の業者のそれぞれについてその業者を識別するための業者情報とその業者による利用者への優待の期間とを記憶した第２の記憶装置から、前記入力手段において受け付けた前記特定期間に利用者を優待する業者の業者情報を読み出す第２読出手段，
前記特定期間での節電協力の依頼に関する情報とその特定期間に利用者を優待する業者の業者情報とを、前記第２読出手段が読み出した前記通知先へ、通信装置を通じて送信する送信手段，
前記送信手段による送信の応答として何れかの通知先から業者情報と幾つかの構成員情報とを通信装置を通じて受信する受信手段，
前記業者情報と前記特定期間と前記構成員情報とを対応付ける対応情報を、前記受信手段が受信した構成員情報毎に第３の記憶装置に記憶する予約受付手段，及び、
前記予約受付手段が記憶した際に、その通知先の世帯の構成員であって前記特定期間に在宅する構成員の構成員情報と前記特定期間とを持つ対応情報が前記第３の記憶装置に所定数以上記憶されていた場合に、前記業者情報にて示される業者においてその特定期間に優待を受けられる旨を、前記受信手段が受信した応答の通知元へ通信装置を通じて通知する通知手段
として機能させる
ことを特徴とする電力消費量抑制プログラム。
【請求項３】
前記第１読出手段は、一つ以上の世帯のそれぞれについてその世帯の通知先と各構成員を識別するための構成員情報と各構成員の在宅期間と各構成員の趣味に関する趣味情報とを記憶した第１の記憶装置から、前記入力手段において受け付けた特定期間に在宅する構成員の趣味情報及びその世帯の通知先を読み出し、
前記第２読出手段は、一つ以上の業者のそれぞれについてその業者を識別するための業者情報とその業者による利用者への優待の期間とその業者の業務の種別とを記憶した第２の記憶装置から、前記入力手段において受け付けた前記特定期間に利用者を優待する業者のうちの前記趣味情報に合致する種別を持つ業者の業者情報を読み出す
ことを特徴とする請求項２記載の電力消費量抑制プログラム。
【請求項４】
前記第１読出手段は、一つ以上の世帯のそれぞれについてその世帯の所在地の周辺地域を定義するエリア情報と通知先と各構成員を識別するための構成員情報と各構成員の在宅期間とを記憶した第１の記憶装置から、前記入力手段において受け付けた特定期間に在宅する構成員の世帯の通知先及びエリア情報を読み出し、
前記第２読出手段は、一つ以上の業者のそれぞれについてその業者を識別するための業者情報とその業者による利用者への優待の期間とその業者の所在地に関する所在地情報とを記憶した第２の記憶装置から、前記入力手段において受け付けた前記特定期間に利用者を優待する業者のうちの前記第１読出手段によって読み出されたエリア情報に含まれる所在地情報を持つ業者の業者情報を読み出す
ことを特徴とする請求項２記載の電力消費量抑制プログラム。
【請求項５】
前記送信手段は、前記特定期間での節電協力の依頼に関するテキスト情報と、その特定期間に利用者を優待する業者の所在地が示された地図とが記載された電子メールを、前記第２読出手段が読み出した前記各通知先へ、通信装置を通じて送信する
ことを特徴とする請求項４記載の電力消費量抑制プログラム。
【発明の詳細な説明】
【技術分野】
【０００１】
本発明は、任意に特定された期間での電力消費量を抑制するための電力消費量抑制方法と、このような電力消費量抑制方法を実現するための装置としてコンピュータを機能させる電力消費量抑制プログラムとに、関する。
【背景技術】
【０００２】
周知のように、現在、我が国では、電力発電所を増設しにくい。水力発電所の設置や火力発電所の使用による自然環境への悪影響に対する批判があり、また、原子力発電所を使用する際の安全性に対する批判があるためである。
【０００３】
このような事情があるにも拘わらず、我が国の電力消費量は年々上昇している。特に夏期においては、全ての電力発電所が最大供給量を出力した場合の総供給量に対し、昼間の特定時間帯での全消費者による電力消費量が逼迫する事態が生じている。このため、その特定時間帯において大停電などの電力供給障害が発生する虞が高まっている。
【０００４】
このような虞を解消する方法として、電力消費量が最大供給量に接近すると見込まれる特定期間での節電への協力を消費者に対して呼び掛けることが、一般に行われているが、全く効果が無い。その効果を上げるためには、消費者に対し、節電に協力したことに対する何らかの見返りを施せばよいと考えられる。そして、消費者に見返りを施す方法として、各世帯の特定期間での節電量を調査してその節電量に応じて各世帯での電気料金を割り引く方法が、提案されている（特許文献１参照）。
【特許文献１】特開２００２−１１７１８３号公報
【発明の開示】
【発明が解決しようとする課題】
【０００５】
しかしながら、特許文献１に記載されるような各世帯の特定期間での節電量を調査する作業には、それ用の人的費用や設備費用を投資せねばならない。然も、電力消費量が減ったうえに、電気料金を割り引かねばならなくなるので、結果的に、電力会社の得られる収入が減ることとなる。従って、節電量に応じた割引サービスを電力会社が率先して行うとは、考えにくい。
【０００６】
本発明は、上述したような従来の事情に鑑みてなされたものであり、その課題は、投資や割り引き等を行わなくとも特定期間での節電協力への見返りを各世帯に施すことができ、その結果として、特定期間での電力消費量を抑えることができる電力消費量抑制方法と、このような電力消費量抑制方法を実現するための装置としてコンピュータを機能させる電力消費量抑制プログラムとを、提供することにある。
【課題を解決するための手段】
【０００７】
上記の課題を解決するために、本発明による電力消費量抑制方法は、以下のような構成を採用した。
【０００８】
すなわち、この電力消費量抑制方法は、コンピュータが、任意に特定された期間を指定する情報を入力装置を通じて受け付けると、一つ以上の世帯のそれぞれについてその世帯の通知先とその世帯の各構成員を識別するための構成員情報と各構成員の在宅期間とを記憶した第１の記憶装置から、その特定期間に在宅する構成員のいる世帯の通知先を読み出し、一つ以上の業者のそれぞれについてその業者を識別するための業者情報とその業者による利用者への優待の期間とを記憶した第２の記憶装置から、前記特定期間に利用者を優待する業者の業者情報を読み出し、前記特定期間での節電協力の依頼に関する情報とその特定期間に利用者を優待する業者の業者情報とを、前記第１の記憶装置から読み出した前記通知先へ、通信装置を通じて送信し、その送信の応答として何れかの通知先から業者情報と幾つかの構成員情報とを通信装置を通じて受信すると、それら業者情報と特定期間と構成員情報とを対応付ける対応情報を、受信した構成員情報毎に第３の記憶装置に記憶し、記憶した際に、その通知先の世帯の構成員であって前記特定期間に在宅する構成員の構成員情報と前記特定期間とを持つ対応情報が前記第３の記憶装置に所定数以上記憶されていた場合に、前記業者情報にて示される業者においてその特定期間に優待を受けられる旨を、応答のあった前記通知先へ通信装置を通じて通知することを、特徴としている。
【０００９】
このように構成されるので、特定の期間を指定する情報が入力装置に入力された場合には、その特定期間に在宅する構成員のいる世帯へ、特定期間での節電の協力依頼に関する情報とその特定期間に優待する業者の業者情報とが、通知される。そして、この通知を受けた世帯から、その業者情報と幾つかの構成員情報とが、応答として送られてきた場合には、それら情報を第３の記憶装置に記憶することによって予約を登録するとともに、優待が受けられるか否かを判別する。
【００１０】
その判別においては、その通知先の世帯の構成員であって前記特定期間に在宅する構成員の構成員情報と前記特定期間とを持つ対応情報が前記第３の記憶装置に所定数以上記憶されていた場合に、優待が受けられると判別する。つまり、世帯の構成員であって特定期間に在宅する構成員のうちの所定人数以上が、何れかの業者に対してその特定期間での予約を入れた者として第３の記憶装置に記憶されている場合に、優待が受けられると判別する。
【００１１】
従って、一世帯における在宅予定者のうちの所定数の者が、何れかの業者に対して特定期間での予約を行うことの見返りとして、その業者からの優待を受けられるようにすることにより、特定期間において在宅予定者を積極的に商業施設へ集中させることができる。これにより、一世帯での在宅予定者が所定数外出するようになるため、その特定期間での世帯の電力消費量は大幅に減ることとなる。そして、このような予約が複数の世帯において行われる結果、全体の電力消費量が抑えられることとなる。
【００１２】
また、上記の課題を解決するため、本発明による電力消費量抑制プログラムは、以下のような構成を採用した。
【００１３】
すなわち、この電力消費量抑制プログラムは、コンピュータを、任意に特定された期間を指定する情報を入力装置を通じて受け付ける入力手段，一つ以上の世帯のそれぞれについてその世帯の通知先とその世帯の各構成員を識別するための構成員情報と各構成員の在宅期間とを記憶した第１の記憶装置から、前記入力手段において受け付けた特定期間に在宅する構成員のいる世帯の通知先を読み出す第１読出手段，一つ以上の業者のそれぞれについてその業者を識別するための業者情報とその業者による利用者への優待の期間とを記憶した第２の記憶装置から、前記入力手段において受け付けた前記特定期間に利用者を優待する業者の業者情報を読み出す第２読出手段，前記特定期間での節電協力の依頼に関する情報とその特定期間に利用者を優待する業者の業者情報とを、前記第２読出手段が読み出した前記通知先へ、通信装置を通じて送信する送信手段，前記送信手段による送信の応答として何れかの通知先から業者情報と幾つかの構成員情報とを通信装置を通じて受信する受信手段，前記業者情報と前記特定期間と前記構成員情報とを対応付ける対応情報を、前記受信手段が受信した構成員情報毎に第３の記憶装置に記憶する予約受付手段，及び、前記予約受付手段が記憶した際に、その通知先の世帯の構成員であって前記特定期間に在宅する構成員の構成員情報と前記特定期間とを持つ対応情報が前記第３の記憶装置に所定数以上記憶されていた場合に、前記業者情報にて示される業者においてその特定期間に優待を受けられる旨を、前記受信手段が受信した応答の通知元へ通信装置を通じて通知する通知手段として機能させることを、特徴としている。
【００１４】
従って、この電力消費量抑制プログラムによれば、上述した本発明の電力消費量抑制方法を実現するための装置としてコンピュータを機能させることができることになる。
【発明の効果】
【００１５】
以上に説明したように、本発明によれば、投資や割り引き等を行わなくとも特定期間での節電協力への見返りを各世帯に施すことができ、その結果として、特定期間での電力消費量を抑えることができる。
【発明を実施するための最良の形態】
【００１６】
以下、図面に基づいて、本発明を実施するための形態を説明する。
【００１７】
図１は、本発明の実施形態であるコンピュータネットワークシステムを概略的に示す構成図である。図１に示されるように、このコンピュータネットワークシステムは、１個以上の業者用端末装置１０，１個以上の世帯用端末装置２０，及び、サーバ装置３０を、備えており、これら各装置１０，２０，３０は、ネットワークＮを介して相互に接続されている。
【００１８】
ここで、業者用端末装置１０は、顧客からの予約を受け付けるとともにその予約に基づいて来店した顧客に対してサービスを提供する業者によって保有される端末装置であり、世帯用端末装置２０は、一般家庭の家屋内に設置され、或いは、世帯主に保有される端末装置であり、サーバ装置３０は、電力会社の社屋内、或いは、電力会社から委託を受けてサーバ装置３０の運営を代行する代行業者の社屋内に、設置される。なお、以下では、「電力会社」は、その代行業者を含む概念とする。
【００１９】
業者用端末装置１０は、一般に市販されるパーソナルコンピュータや携帯情報端末装置や携帯電話機であり、インターネットアクセス機能及び電子メール送受信機能を有している。具体的には、図２を用いて説明する。
【００２０】
図２は、業者用端末装置１０を概略的に示す構成図である。図２に示されるように、業者用端末装置１０は、ＣＰＵ［Central Processing Unit］１０ａ，ＲＡＭ［Random Access Memory］１０ｂ，表示装置１０ｃ，入力装置１０ｄ，通信制御装置１０ｅ，及び、記憶装置１０ｆを、備えており、これらハードウエア１０ａ〜１０ｆは、バスＢを介して互いに接続されている。
【００２１】
ＣＰＵ１０ａは、業者用端末装置１０全体を制御するための中央処理装置である。ＲＡＭ１０ｂは、ＣＰＵ１０ａが各種プログラムを実行するに際しての作業領域が展開される主記憶装置である。
【００２２】
表示装置１０ｃは、ＣＰＵ１０ａによって生成された画面データに基づいて各種画面を表示するための装置であり、具体的にはブラウン管ディスプレイや液晶ディスプレイである。入力装置１０ｄは、操作者からの入力を受け付けるための装置であり、具体的にはキーボードやマウスやタッチスクリーンである。
【００２３】
通信制御装置１０ｅは、ネットワークＮ上のルータとの間で有線通信又は無線通信にてデータの送受信を司る装置であり、具体的には、ＬＡＮ［Local Area Network］接続ボード，ターミナルアダプタ，モデム，又は、ラジオフリークエンシー回路などである。
【００２４】
記憶装置１０ｆは、各種のデータ及びプログラムが読み書きされる装置であり、具体的には、ＨＤＤ［Hard Disk Drive］やフラッシュメモリなどである。この記憶装置１０ｆが格納しているプログラムには、ハードウエアとソフトウエアとを統合的に管理するためのオペレーションシステムプログラムの他、ウェブブラウザ１１及びメーラ１２が含まれている。
【００２５】
ウェブブラウザ１１は、インターネット上のウェブサイトからウェブページデータやイメージデータ等を取得してウェブページやイメージ等を表示装置１０ｃに表示するためのプログラムである。メーラ１２は、電子メールを編集するための機能や電子メールを送受信するための機能を業者用端末装置１０上に実現させるためのプログラムである。
【００２６】
世帯用端末装置２０も、業者用端末装置１０と同様に、一般に市販されるパーソナルコンピュータや携帯情報端末装置や携帯電話機であり、インターネットアクセス機能及び電子メール送受信機能を有している。なお、世帯用端末装置２０は、業者用端末装置１０と同じ内部構成を有しているため、世帯用端末装置２０の内部構成については、図２を代用して、説明する。
【００２７】
世帯用端末装置２０は、ＣＰＵ２０ａ，ＲＡＭ２０ｂ，表示装置２０ｃ，入力装置２０ｄ，通信制御装置２０ｅ，及び、記憶装置２０ｆを、備えており、これらハードウエア２０ａ〜２０ｆは、バスＢを介して互いに接続されている。そして、記憶装置２０ｆには、業者用端末装置１０の記憶装置１０ｆと同様に、オペレーションシステムプログラムや、ウェブブラウザ２１や、メーラ２２が、格納されている。
【００２８】
図３は、サーバ装置３０を概略的に示す構成図である。サーバ装置３０は、ＣＰＵ３０ａ，ＲＡＭ３０ｂ，表示装置３０ｃ，入力装置３０ｄ，通信制御装置３０ｅ，及び、ＨＤＤ３０ｆを、備えており、これらハードウエア３０ａ〜３０ｆは、バスＢを介して互いに接続されている。
【００２９】
ＨＤＤ３０ｆには、オペレーションシステムプログラムとともに、ウェブサーバプログラム，及び、ウェブページデータやイメージデータ等が、格納されている。ウェブサーバプログラムは、インターネット上にウェブサイトを形成するためのプログラムであり、より具体的には、ウェブブラウザ１１からの要求に応じてウェブページデータやイメージデータ等を送信するためのプログラムである。
【００３０】
さらに、このＨＤＤ３０ｆには、本発明に係る各種のデータ及び各種のプログラムが、格納されている。ＨＤＤ３０ｆに格納されているデータには、業者マスタテーブル３１，ユーザマスタテーブル３２，エリアマスタテーブル３３，及び、予約管理テーブル３４が、含まれている。また、ＨＤＤ３０ｆに格納されているプログラムには、業者情報登録プログラム３５，ユーザ情報登録プログラム３６，優待情報提供プログラム３７，予約受付通知プログラム３８，及び、クーポン発行プログラム３９が、含まれている。以下、これらテーブル３１〜３４及びプログラム３５〜３９について、順に説明する。
【００３１】
業者マスタテーブル３１は、上記各業者の営業に関する情報とそれら各業者が顧客誘引のために行う優待に関する情報とを管理するためのテーブルである。図４は、この業者マスタテーブル３１の内容を概念的に説明するためのデータ構造図である。
【００３２】
業者マスタテーブル３１は、上記電力会社に登録された業者の数と同じ数のレコードを、有している。各レコードは、「業者番号」，「業者種別」，「業者名」，「業者住所」，「エリアコード」，「電話番号」，「営業時間」，「優待内容」，「優待時間帯」，「優待人数」，「電子メールアドレス」，「該当趣味１」，「該当趣味２」，及び、「該当趣味３」のフィールドを、有している。
【００３３】
「業者番号」には、各業者を全ての業者の中から個別に識別するための識別番号である業者番号が、記録される。「業者種別」には、各業者が行っている業務の内容の種別（レストラン，水泳プール，遊園地，ボーリング場など）が、記録される。「業者名」には、各業者の名称が、記録される。
【００３４】
「業者住所」には、各業者の所在地の住所が、記録される。「エリアコード」には、電力会社がその業務のために地図上に独自に定義した各区域を各々識別するためのエリアコードのうち、各業者の所在地の住所に対応するエリアコードが、記録される。「電話番号」及び「営業時間」には、各業者の電話番号及び営業時間が、それぞれ記録される。
【００３５】
「優待内容」には、各業者が顧客誘引のために行う優待の内容が、記録される。「優待時間帯」には、来店した顧客に対して各業者が優待を行う時間帯が、記録される。「優待人数」には、各業者が優待することのできる顧客の人数が、記録される。「電子メールアドレス」には、各業者の業者用端末装置１０に設定されている電子メールアドレスが、記録される。
【００３６】
「該当趣味１」，「該当趣味２」及び「該当趣味３」には、各業者の種別に関連する人の趣味の種別が、それぞれ記録される。但し、「該当趣味１」に近付くほど、小分類の趣味（例えばゴルフ）が記録され、「該当趣味３」に近付くほど、大分類の趣味（例えばスポーツ全般）が記録される。また、業務の種別に関連する趣味が２つしかない場合には、「該当趣味３」は空欄となる。
【００３７】
ユーザマスタテーブル３２は、上記各世帯の構成員であるユーザに関する情報を管理するためのテーブルである。図５は、このユーザマスタテーブル３２の内容を概念的に説明するためのデータ構造図である。
【００３８】
ユーザマスタテーブル３２は、上記電力会社に登録されたユーザの数と同じ数のレコードを、有している。各レコードは、「世帯番号」，「氏名」，「年齢」，「性別」，「職業」，「住所」，「エリアコード」，「趣味１」，「趣味２」，「車保有」，「電子メールアドレス」，「月曜日在宅時間帯」，「火曜日在宅時間帯」，…，「土曜日在宅時間帯」，及び、「日曜日在宅時間帯」のフィールドを、有している。
【００３９】
「世帯番号」には、各世帯を全ての世帯の中から個別に識別するための識別番号である世帯番号が、記録される。なお、同じ世帯に属するユーザのレコードの「世帯番号」フィールドには、同じ世帯番号が記録される。「氏名」，「年齢」，「性別」及び「職業」には、各ユーザの氏名，年齢，性別及び職業が、それぞれ記録される。
【００４０】
「住所」には、各ユーザの住所が、記録される。従って、同じ世帯に属するユーザのレコードの「住所」フィールドには、同じ住所が記録される。「エリアコード」には、各ユーザの住所に対応するエリアコードが、記録される。従って、同じ世帯に属するユーザのレコードの「エリアコード」には、同じエリアコードが記録される。
【００４１】
「趣味１」及び「趣味２」には、各ユーザの趣味が、記録される。但し、ユーザが１つしか趣味を持たない場合には、そのユーザのレコードの「趣味２」フィールドは空欄となる。「車保有」には、その世帯が車を所有しているか否かを示す情報（有又は無）が、記録される。従って、同じ世帯に属するユーザのレコードの「車保有」フィールドには、同じ情報が記録される。
【００４２】
「電子メールアドレス」には、各ユーザの属する世帯の世帯用端末装置２０に設定されている電子メールアドレスが、記録される。従って、同じ世帯に属するユーザのレコードの「電子メールアドレス」フィールドには、同じ電子メールアドレスが記録される。「月曜日在宅時間帯」，「火曜日在宅時間帯」，…，「土曜日在宅時間帯」及び「日曜日在宅時間帯」には、各ユーザの各曜日における平均的な在宅時間帯が、それぞれ記録される。
【００４３】
エリアマスタテーブル３３は、各エリアコードとそのエリアコードに属する地域から所定の交通手段によって所定時間移動したときに到達する地域のエリアコードとの関係を定義したテーブルである。図６は、そのエリアマスタテーブル３３の内容を概念的に説明するためのデータ構造図である。
【００４４】
エリアマスタテーブル３３は、全てのエリアコードの数と同じ数のレコードを、有している。各レコードは、「エリアコード」，「車６０分圏」，及び、「交通機関６０分圏」のフィールドを、有している。
【００４５】
「エリアコード」には、各エリアコードが記録される。「車６０分圏」には、各エリアコードの属する地域から自動車で６０分以内で移動したときに到達する地域のエリアコードが、記録される。なお、１つのエリアコードに属する地域から自動車で６０分以内で移動したときに到達する地域が複数存在する場合、そのエリアコードを持つレコードには、「車６０分圏」フィールドが複数含まれることとなる。
【００４６】
「交通機関６０分圏」には、各エリアコードの属する地域から電車やバスや船などの交通機関を使って６０分移動したときに到達する地域のエリアコードが、記録される。なお、１つのエリアコードに属する地域から交通機関を使って６０分以内で移動したときに到達する地域が複数存在する場合、そのエリアコードを持つレコードには、「交通機関６０分圏」フィールドが複数含まれることとなる。
【００４７】
予約管理テーブル３４は、上記電力会社が各業者の代わりに受け付けたその業者への予約を管理するためのテーブルである。図７は、その予約管理テーブル３４の内容を概念的に説明するためのデータ構造図である。
【００４８】
予約管理テーブル３４は、上記電力会社が各業者の代わりに受け付けた予約の人数と同じ数のレコードを、有している。各レコードは、「予約番号」，「日にち」，「時間帯」，「業者番号」，「世帯番号」，及び、「予約者氏名」のフィールドを、有している。
【００４９】
「予約番号」には、業者への予約を各々個別に識別するための識別番号である予約番号が、記録される。「日にち」及び「時間帯」には、予約の日にち及び時間帯が、それぞれ記録される。「業者番号」には、各ユーザからの予約がなされた業者の業者番号が、記録される。「世帯番号」及び「予約者氏名」には、業者に予約した各ユーザの世帯番号及び氏名が、それぞれ記録される。
【００５０】
業者情報登録プログラム３５は、業者に関する情報を業者用端末装置１０から受け付けて業者マスタテーブル３１へ格納するためのプログラムである。ユーザ情報登録プログラム３６は、ユーザに関する情報を世帯用端末装置２０から受け付けてユーザマスタテーブル３２へ格納するためのプログラムである。
【００５１】
優待情報提供プログラム３７は、各業者の優待に関する情報をユーザに対して提供するためのプログラムである。具体的な内容については、図１０を用いて後述する。
【００５２】
予約受付通知プログラム３８は、各ユーザから各業者への入店の予約を受け付けた際にその予約に関する情報を各業者の業者用端末装置１０へ通知するためのプログラムである。
【００５３】
クーポン発行プログラム３９は、各ユーザによる各業者への入店予約の状況に応じてそのユーザに対して優待を受けさせるか否かを決定するためのプログラムである。具体的な内容については、図１４を用いて後述する。
【００５４】
以下、以上のように構成されるコンピュータネットワークシステムにおいて実行される処理について、説明する。
【００５５】
＜業者登録処理＞
上記電力会社に新規に登録しようとする業者は、その業者用端末装置１０のウェブブラウザ１１を立ち上げて、業者登録用画面を表示させるためにサーバ装置３０に事前に用意されているウェブページデータへアクセスする。すると、その業者用端末装置１０の表示装置１０ｃには、業者登録用画面が表示される。図８は、この業者登録用画面４１の画面例である。
【００５６】
図８の業者登録用画面４１には、９個の入力欄が示されている。これら入力欄は、それぞれ、業者名，業者種別，業者住所，電話番号，営業時間，優待内容，優待時間帯，優待人数，及び、電子メールアドレスをそれぞれ入力するためのものである。また、図８の業者登録用画面４１には、更新登録ボタン４１ａが示されている。更新登録ボタン４１ａは、上記９個の入力欄への入力が済んだ際に業者がクリックするためのボタンである。
【００５７】
このような業者登録用画面４１が表示装置１０ｃに表示された後、業者は、入力装置１０ｄを操作することによって、業者登録用画面４１における９個の入力欄に所定の情報を入力して、更新登録ボタン４１ａをクリックする。すると、クリック時に業者登録用画面４１の各入力欄に入力されていた情報が、業者用端末装置１０からサーバ装置３０へ送られる。
【００５８】
その情報を受け取ったサーバ装置３０では、業者情報登録プログラム３５が起動される。その業者情報登録プログラム３５に従ったＣＰＵ３０ａは、業者用端末装置１０からの情報を受け取ると、その情報中の業者種別に関連する趣味を特定するとともに、その情報に新規の業者番号を付与した後、それら情報を、ＨＤＤ３０ｆ内の業者マスタテーブル３１に、その業者用の新規のレコードとして、記録する。
【００５９】
なお、この図８の業者登録用画面４１は、上述したように、業者が電力会社に新規に登録する場合に用いられるものであるが、既に電力会社に登録している業者に対しても用いることができる。
【００６０】
この場合を簡単に説明すると、登録済の業者は、まず、図示せぬログイン画面において自身の業者番号を入力することによってサーバ装置３０のウェブサイトへログインする。これを受けて、サーバ装置３０は、その業者番号に対応するレコードを業者マスタテーブル３１から読み出し、読み出した情報が各入力欄に入力された状態で業者登録用画面４１を表示させるためのウェブページデータを生成して、業者用端末装置１０へ送信する。
【００６１】
すると、登録済の業者の業者用端末装置１０の表示装置１０ｃには、その時点で登録されている情報が各入力欄に埋め込まれた業者登録用画面４１が、表示される。登録済の業者は、入力装置１０ｄを操作することによって、内容を変更したい情報の入力欄の内容を書き換えて、更新登録ボタン４１ａをクリックする。これを受けて、ＨＤＤ３０ｆ内の業者マスタテーブル３１におけるその業者のレコードの内容が、更新される。
【００６２】
＜ユーザ登録処理＞
上記電力会社に新規に登録しようとする世帯の世帯主は、その世帯用端末装置２０のウェブブラウザ２１を立ち上げて、世帯登録用画面を表示させるためにサーバ装置３０に事前に用意されているウェブページデータへアクセスする。すると、その世帯用端末装置２０の表示装置２０ｃには、世帯登録用画面が表示される。図９は、この世帯登録用画面４２の画面例である。
【００６３】
図９の世帯登録用画面４２には、世帯主の個人的な情報（氏名，年齢，性別，職業，住所，趣味１，趣味２，車保有，及び、電子メールアドレス）を入力するためのものとして、９個の入力欄が示されている。また、図９の世帯登録用画面４２には、世帯主の各曜日における平均的な在宅時間帯を入力するためのものとして、７個の入力欄が示されている。
【００６４】
また、図９の世帯登録用画面４２には、世帯主と同居する同居人のうちの一人目の個人的な情報（氏名，年齢，性別，職業，趣味１，及び、趣味２）を入力するためのものとして、６個の入力欄が示されている。また、図９の世帯登録用画面４２には、その一人目の同居人の各曜日における平均的な在宅時間帯を入力するためのものとして、７個の入力欄が示されている。
【００６５】
また、図９の世帯登録用画面４２には、世帯主と同居する同居人のうちの二人目の個人的な情報（氏名，年齢，性別，職業，趣味１，及び、趣味２）を入力するためのものとして、６個の入力欄が示されている。また、図９の世帯登録用画面４２には、その二人目の同居人の各曜日における平均的な在宅時間帯を入力するためのものとして、７個の入力欄が示されている。
【００６６】
なお、図９の世帯登録用画面４２は、三人世帯の場合の例を示しているが、実際には、世帯登録画面４２は、三人世帯に限られるものではない。例えば、この世帯登録用画面４２を表示する前に、世帯の人数を入力するための画面を表示しておき、世帯主がその画面にその世帯の人数を入力することによって、世帯登録用画面４２の入力欄が増減されても良い。或いは、世帯登録用画面４２を始めに表示したときには、一人分の入力欄だけが表示され、それら一人分の入力欄への入力が済むと、もう一人分の入力欄を追加するか否かを選択させる画面が表示され、その画面において世帯主が追加を選択すると、世帯登録用画面４２にもう一人分の入力欄が追加表示されても良い。何れにして、この世帯登録用画面４２は、一つの世帯を構成する人数に応じて、入力欄が増減されるようになっている。
【００６７】
さらに、図９の世帯登録用画面４２には、更新登録ボタン４２ａが示されている。更新登録ボタン４２ａは、各入力欄への入力が済んだ際に世帯主がクリックするためのボタンである。
【００６８】
このような世帯登録用画面４２が表示装置２０ｃに表示された後、世帯主は、入力装置２０ｄを操作することによって、世帯登録用画面４２の各入力欄に所定の情報を入力した後、更新登録ボタン４２ａをクリックする。すると、クリック時に世帯登録用画面４２の各入力欄に入力されていた情報が、世帯用端末装置２０からサーバ装置３０へと送られる。
【００６９】
その情報を受け取ったサーバ装置３０では、ユーザ情報登録プログラム３６が起動され、そのユーザ情報登録プログラム３６に従ったＣＰＵ３０ａが、受け取った情報に新規の世帯番号を付与した後、それら情報を、ＨＤＤ３０ｆ内のユーザマスタテーブル３２に、そのユーザ用の新規のレコードとして、記録する。
【００７０】
なお、この図９の世帯登録用画面４２は、上述したように、各世帯がその世帯に関する情報を電力会社に新規に登録する場合に用いられるものであるが、既に電力会社に世帯に関する情報を登録している世帯に対しても用いることができる。
【００７１】
この場合を簡単に説明すると、登録済の世帯の世帯主は、図示せぬログイン画面において自身の世帯番号を入力することによってサーバ装置３０のサイトへログインする。これを受けて、サーバ装置３０は、その世帯番号に対応するレコードをユーザマスタテーブル３２から読み出し、読み出した情報が各入力欄に入力された状態で世帯登録用画面４２を表示させるためのウェブページデータを生成して、世帯用端末装置２０へ送信する。
【００７２】
すると、登録済の世帯の世帯用端末装置２０の表示装置２０ｃには、その時点で登録されている各情報がその世帯の人数分の各入力欄にそれぞれ埋め込まれた世帯登録用画面４２が、表示される。登録済の世帯の世帯主は、入力装置２０ｄを操作することによって、内容を変更したい情報の入力欄の中身を書き換えて、更新登録ボタン４２ａをクリックする。これを受けて、ＨＤＤ３０ｆ内のユーザマスタテーブル３２におけるその業者のレコードの内容が、更新される。
【００７３】
＜優待情報提供処理＞
電力会社の担当者は、まず、電力消費量が電力需要量に接近すると見込まれる期間（日にち及び時間帯），並びに、その期間での節電に協力するように呼び掛けるべき人数の最大値を、特定すると、サーバ装置３０の入力装置３０ｄを操作して、優待情報提供プログラム３７を起動させる。すると、サーバ装置３０では、優待情報提供処理が開始される。図１０は、この優待情報提供処理の内容を説明するためのフローチャートである。
【００７４】
優待情報提供処理の開始後、最初のステップＳ１０１では、ＣＰＵ３０ａは、入力画面を表示装置３０ｃに表示して、その入力画面中のＯＫボタンがクリックされるまで、待機する。なお、この入力画面は、上記の日にち，時間帯，及び、最大人数を入力するための入力欄を、有しており、電力会社の担当者は、ＯＫボタンをクリックする前においては、それら入力欄への入力を、自由に行える。そして、入力画面中のＯＫボタンがクリックされると、ＣＰＵ３０ａは、クリック時に入力欄に入力されていた日にち，時間帯，及び、最大人数を、ＲＡＭ３０ｂに記憶することによって受け付けて、ステップＳ１０２へ処理を進める。
【００７５】
ステップＳ１０２では、ＣＰＵ３０ａは、変数ｎにゼロを代入し、ステップＳ１０３へ処理を進める。
【００７６】
ステップＳ１０３では、ＣＰＵ３０ａは、当該日にちの曜日を特定し、特定した曜日における当該時間帯に在宅予定のユーザのレコードを、ユーザマスタテーブル３２から読み出す。読み出した後、ＣＰＵ３０ａは、ステップＳ１０４へ処理を進める。
【００７７】
ステップＳ１０４では、ＣＰＵ３０ａは、ステップＳ１０３において読み出したレコードを世帯（番号）毎に纏めるとともに、人数の多い世帯の順にソートする。ソート後、ＣＰＵ３０ａは、ステップＳ１０５へ処理を進める。
【００７８】
ステップＳ１０５では、ＣＰＵ３０ａは、変数ｎを１だけインクリメントすることによって、ソート済レコード群の中のｎ番目のレコードを処理対象として特定し、ステップＳ１０６へ処理を進める。
【００７９】
ステップＳ１０６では、ＣＰＵ３０ａは、処理対象レコードの「車保有」フィールドの内容に基づいて、ｎ番目のユーザが自動車を保有しているか否かを、判別する。そして、ｎ番目のユーザが自動車を保有していた場合（Ｓ１０６；ＹＥＳ）には、ＣＰＵ３０ａは、ステップＳ１０７へ処理を進める。
【００８０】
ステップＳ１０７では、ＣＰＵ３０ａは、処理対象レコードの「エリアコード」フィールドからエリアコードを読み出し、続いて、エリアマスタテーブル３３における当該エリアコードに対応するレコードの各「車６０分圏」フィールドから、エリアコードを読み出す。読み出した後、ＣＰＵ３０ａは、ステップＳ１０９へ処理を進める。
【００８１】
一方、ステップＳ１０６において、ｎ番目のユーザが自動車を保有していなかった場合（Ｓ１０６；ＮＯ）には、ＣＰＵ３０ａは、ステップＳ１０８へ処理を進める。
【００８２】
ステップＳ１０８では、ＣＰＵ３０ａは、処理対象レコードの「エリアコード」フィールドからエリアコードを読み出し、続いて、エリアマスタテーブル３３における当該エリアコードに対応するレコードの各「交通機関６０分圏」フィールドから、エリアコードを読み出す。読み出した後、ＣＰＵ３０ａは、ステップＳ１０９へ処理を進める。
【００８３】
ステップＳ１０９では、ＣＰＵ３０ａは、処理対象レコードの「趣味１」及び「趣味２」フィールドから、趣味を読み出す。読み出した後、ＣＰＵ３０ａは、ステップＳ１１０へ処理を進める。
【００８４】
ステップＳ１１０では、ＣＰＵ３０ａは、ステップＳ１０７又はＳ１０８において読み出したエリアコードを「エリアコード」フィールドに持つとともにステップＳ１０９において読み出した趣味を「該当趣味１」乃至「該当趣味３」の何れかのフィールドに持つレコードを、業者マスタテーブル３１から抽出する。抽出後、ＣＰＵ３０ａは、ステップＳ１１１へ処理を進める。
【００８５】
ステップＳ１１１では、ＣＰＵ３０ａは、電子メールを生成して送信する。ここで生成される電子メールには、ステップＳ１０１においてＲＡＭ３０ｂに記憶した期間（日にち及び時間帯）において節電に協力して欲しい旨が、記載されている。また、この電子メールには、ステップＳ１１０において抽出したレコードにより特定される業者の所在地を概略的に示した略地図が、記載されている。
【００８６】
図１１は、このような節電協力依頼と略地図とが記載された電子メール４３の一つを例示した図である。なお、略地図において業者名の示されている領域は、後述の予約受付画面を表示させるためのクリッカブルなリンクボタンとして機能するように、構成されている。また、その業者名の領域には、引数として引き渡される業者番号が、設定されている。このような電子メール４３を生成した後、ＣＰＵ３０ａは、この電子メールを、処理対象レコードの「電子メールアドレス」フィールドにある電子メールアドレス宛へ送信し、ステップＳ１１２へ処理を進める。
【００８７】
ステップＳ１１２では、ＣＰＵ３０ａは、ステップＳ１０１において受け付けた最大人数に変数ｎが達しているか否かを、判別する。そして、変数ｎが最大人数に達していなかった場合（Ｓ１１２；ＮＯ）には、ＣＰＵ３０ａは、ステップＳ１０５へ処理を進める。
【００８８】
ステップＳ１０５〜Ｓ１１２の処理ループの実行中、変数ｎが最大人数に達すると（Ｓ１１２；ＹＥＳ）、ＣＰＵ３０ａは、ステップＳ１１２から処理を分岐させ、優待情報提供処理を終了する。
【００８９】
以上に説明した優待情報提供処理が実行されるので、電力会社が節電を行うことを希望する期間（日にち及び時間帯）に在宅する予定のユーザには、自身の世帯用端末装置２０に届く電子メール４３を通じて、節電への協力が呼び掛けられ、同時に、その期間（日にち及び時間帯）に優待を行う業者に関する情報が、提供される。
【００９０】
＜予約受付通知＞
ユーザは、自身の世帯用端末装置２０の入力装置２０ｄを操作して、メーラ１２を起動し、サーバ装置３０からの電子メール４３を受信して、その内容を表示装置２０ｃに表示させる。このとき、表示装置２０ｃには、図１１に示されるような電子メール４３が表示されることとなる。
【００９１】
そして、ユーザは、表示装置２０ｃに表示される電子メール４３において、その期間（日にち及び時間帯）に予約を入れたい業者があった場合には、入力装置２０ｄを操作することによって、その業者の業者名が含まれる領域を、クリックする。すると、ウェブブラウザ２１が起動される。そのウェブブラウザ２１に従ったＣＰＵ２０ａは、その領域に設定されている業者番号を引数としてサーバ装置３０に引き渡して、予約受付画面を表示するためのウェブページデータをサーバ装置３０から取得し、予約受付画面を表示装置２０ｃに表示する。図１２は、この予約受付画面４４の画面例である。
【００９２】
図１２の予約受付画面４４には、図１１の電子メールにおいてクリックされた領域に含まれる業者名と、節電への協力が呼び掛けられている期間（日にち及び時間帯）と一致する予約日時とが、示されている。また、この図１２の予約受付画面４４には、５個の入力欄が示されている。これら入力欄は、予約人数，世帯番号，本人氏名，一人目の同居人の氏名，及び、二人目の同居人の氏名をそれぞれ入力するためのものである。なお、この予約受付画面４４には、予約人数の入力欄に入力される人数に応じて同居人氏名の入力欄が増減する機能が、付加されている。図１２は、予約人数が３人である場合の例を示している。
【００９３】
また、この図１２の予約受付画面４４には、予約ボタン４４ａが示されている。この予約ボタン４４ａは、各入力欄への入力が済んだ際にユーザがクリックするためのボタンである。
【００９４】
このような予約受付画面４４が表示装置２０ｃに表示された後、ユーザは、入力装置２０ｄを操作することによって、予約受付画面４４の各入力欄に所定の情報を入力して、予約ボタン４４ａをクリックする。すると、クリック時に予約受付画面４４の各入力欄に入力されていた情報が、世帯用端末装置２０からサーバ装置３０へと送られる。
【００９５】
その情報を受け取ったサーバ装置３０では、予約受付通知プログラム３８が起動され、その予約受付通知プログラム３８に従ったＣＰＵ３０ａが、受け取った情報に新規の予約番号を付与した後、それら情報を、ＨＤＤ３０ｆの予約管理テーブル３４に、その予約に関する新規のレコードとして、記録する。なお、図７の予約管理テーブル３４では、１回の予約につき、予約人数と同じ数のレコードが記録される。すなわち、一ユーザにつき、１レコードが、記録される。
【００９６】
また、その予約受付通知プログラム３８に従ったＣＰＵ３０ａは、予約管理テーブル３４への記録の後、電子メールを生成する。ここで生成される電子メールには、予約日時（日にち及び時間帯），予約人数，世帯番号，及び、予約者全員の氏名が、記載されている。図１３は、このような予約内容が記載された電子メール４５の一つを例示した図である。
【００９７】
なお、この電子メール４５には、予約受付可ボタン４５ａ及び予約受付不可ボタン４５ｂが、示されている。予約受付可ボタン４５ａは、この電子メール４５に記載された内容で予約を受け付けることができる場合にその業者がクリックするためのボタンであり、予約受付不可ボタン４５ｂは、この電子メール４５に記載された内容で予約を受け付けることができない場合にその業者がクリックするためのボタンである。
【００９８】
そして、予約受付通知プログラム３８に従ったＣＰＵ３０ａは、このような電子メール４５を生成した後、予約管理テーブル３４に記録した業者番号に対応する電子メールアドレスを、業者マスタテーブル３１から読み出し、読み出した電子メールアドレス宛へ電子メール４５を送信する。
【００９９】
業者は、自身の業者用端末装置１０の入力装置１０ｄを操作して、メーラ１２を起動し、サーバ装置３０からの電子メール４５を受信して、その内容を表示装置１０ｃに表示させる。このとき、表示装置１０ｃには、図１３に示されるような電子メール４５が表示されることとなる。
【０１００】
そして、業者は、表示装置１０ｃに表示される電子メール４５を見て、その電子メール４５中の予約日時（日にち及び時間帯）にその人数で予約を承諾することができるかできないかを判断し、その判断に応じて予約受付可ボタン４５ａ及び予約受付不可ボタン４５ｂの何れかをクリックする操作を入力装置１０ｄにおいて行う。すると、電子メール４５に記載されていた情報とともに、２つのボタン４５ａ，４５ｂのうちの何れか一方がクリックされた旨が、業者用端末装置１０からサーバ装置３０へ通知される。
【０１０１】
＜クーポン発行処理＞
サーバ装置３０では、業者用端末装置１０から通知を受けると、クーポン発行プログラム３９が起動され、クーポン発行処理が開始される。図１４は、このクーポン発行処理の内容を説明するためのフローチャートである。
【０１０２】
クーポン発行処理の開始後、最初のステップＳ２０１では、ＣＰＵ３０ａは、予約受付可であるか否かを、判別する。そして、予約受付可でなかった場合（Ｓ２０１；ＮＯ）には、ＣＰＵ３０ａは、ステップＳ２０２へ処理を進める。
【０１０３】
ステップＳ２０２では、ＣＰＵ３０ａは、電子メールを生成して送信する。ここで生成される電子メールには、ユーザが選択した業者では予約ができなかった旨（予約不可通知）と、その業者とは別の業者でも優待を行っている旨（予約催促）とが、記載されている。図１５は、このような予約不可通知と予約催促とが記載された電子メール４６の一つを例示した図である。このような電子メール４６を生成した後、ＣＰＵ３０ａは、業者用端末装置１０から通知とともに受け取った世帯番号に対応する電子メールアドレスを業者マスタテーブル３１から読み出し、生成した電子メール４６をこの電子メールアドレス宛へ送信する。送信後、ＣＰＵ３０ａは、クーポン発行処理を終了する。
【０１０４】
一方、ステップＳ２０１において、予約受付可であった場合（Ｓ２０１；ＹＥＳ）には、ＣＰＵ３０ａは、ステップＳ２０３へ処理を進める。
【０１０５】
ステップＳ２０３では、ＣＰＵ３０ａは、まず、業者用端末装置１０から通知とともに受け取った世帯番号を持つユーザのレコードをユーザマスタテーブル３２から読み出し、続いて、読み出したレコードの中から、当該日にちの曜日における当該時間帯に在宅予定であるユーザのレコードを、抽出する。抽出後、ＣＰＵ３０ａは、ステップＳ２０４へ処理を進める。
【０１０６】
ステップＳ２０４では、ＣＰＵ３０ａは、ステップＳ２０３において抽出したレコードが２個以上あるか否かを、判別する。つまり、ＣＰＵ３０ａは、当該日にちの曜日における当該時間帯に在宅予定のユーザがこの世帯に二人以上いるか否かを、判別する。そして、ＣＰＵ３０ａは、当該レコードが２個未満であった場合（Ｓ２０４；ＮＯ）には、ステップＳ２０６へ処理を進め、当該レコードが２個以上あった場合（Ｓ２０４；ＹＥＳ）には、ステップＳ２０５へ処理を進める。
【０１０７】
ステップＳ２０５では、ＣＰＵ３０ａは、予約管理テーブル３４を参照して、当該曜日における当該時間帯に在宅予定であるユーザのうちの二人以上が何れかの業者に予約済であるか否かを、判別する。つまり、ＣＰＵ３０ａは、ステップＳ２０３において抽出されたレコード中の各氏名，この世帯の世帯番号，当該日にち，及び、当該時間帯を持つレコードが、予約管理テーブル３４に２個以上存在するか否かを、判別する。そして、当該曜日における当該時間帯に在宅予定であるユーザのうちの二人未満しか予約済でなかった場合（Ｓ２０５；ＮＯ）には、ＣＰＵ３０ａは、ステップＳ２０６へ処理を進める。
【０１０８】
ステップＳ２０６では、ＣＰＵ３０ａは、電子メールを生成して送信する。ここで生成される電子メールには、ユーザが選択した業者での予約を受け付けた旨（予約済通知）と、その世帯における予約者数が規定数に満たないために優待が受けられない旨（優待不可通知）とが、記載されている。図１６は、このような予約済通知と優待不可通知とが記載された電子メール４７の一つを例示した図である。このような電子メール４６を生成した後、ＣＰＵ３０ａは、業者用端末装置１０から通知とともに受け取った世帯番号に対応する電子メールアドレスを業者マスタテーブル３１から読み出し、生成した電子メール４６をこの電子メールアドレス宛へ送信する。送信後、ＣＰＵ３０ａは、クーポン発行処理を終了する。
【０１０９】
一方、ステップＳ２０５において、当該曜日における当該時間帯に在宅予定であるユーザのうちの二人以上が予約済であった場合（Ｓ２０５；ＹＥＳ）には、ＣＰＵ３０ａは、ステップＳ２０７へ処理を進める。
【０１１０】
ステップＳ２０７では、ＣＰＵ３０ａは、電子メールを生成して送信する。ここで生成される電子メールには、ユーザが選択した業者での予約を受け付けた旨と、その世帯における予約者数が規定数に達したために予約者全員が優待を受けられる旨とが、記載されている。このような電子メールを生成した後、ＣＰＵ３０ａは、業者用端末装置１０から通知とともに受け取った世帯番号に対応する電子メールアドレスを業者マスタテーブル３１から読み出し、生成した電子メール４６をこの電子メールアドレス宛へ送信する。送信後、ＣＰＵ３０ａは、ステップＳ２０８へ処理を進める。
【０１１１】
ステップＳ２０８では、ＣＰＵ３０ａは、電子メールを生成して送信する。ここで生成される電子メールには、予約完了をユーザへ通知した旨が、記載されている。このような電子メールを生成した後、ＣＰＵ３０ａは、通知元である業者用端末装置１０へ、この電子メールを送信する。送信後、ＣＰＵ３０ａは、このクーポン発行処理を終了する。
【０１１２】
以上に説明したクーポン発行処理が実行されるので、図１３の電子メール４５を通じて予約の可不可が問われた業者によって予約受付可ボタン４５ａがクリックされると、その予約について優待を行うか否かが判別される（Ｓ２０３〜Ｓ２０８）。
【０１１３】
その判別においては、その予約をした世帯に属するユーザであって節電協力の依頼があった期間に在宅するユーザのうちの二人以上が、その期間での予約を何れかの業者に対してしていた場合に、優待が受けられると判別される（Ｓ２０４；ＹＥＳ，Ｓ２０５；ＹＥＳ）。
【０１１４】
上述したように、本実施形態によると、一世帯における節電協力期間での在宅予定者のうちの二人以上が、何れかの業者に対してその期間での予約を行うことの見返りとして、その業者からの優待を受けられる。これにより、その期間において在宅予定者を積極的に商業施設へ集中させることができるため、一世帯での在宅予定者が二人以上外出するようになり、その世帯の電力消費量はその期間において大幅に減ることとなる。そして、このような予約が複数の世帯において行われる結果、全体の電力消費量が抑えられることとなる。
【０１１５】
なお、上述した実施形態では、図６及び図１０を参照して明らかなように、ユーザに対しては、その世帯の所在地域から自動車又は交通機関で６０分以内で移動した圏内にある地域にある優待業者を、紹介していた。しかしながら、本発明を実施するにあたっては、これに限定されるものではない。例えば、交通機関を利用した移動によって到達する圏内の代わりに、徒歩や自転車などの移動手段を利用した移動によって到達する圏内とすることも可能である。この場合、図６のエリアマスタテーブル３３には、「交通機関６０分圏」フィールドの代わりに、「徒歩３０分圏」フィールドや「自転車１５分圏」フィールドが含まれることとなり、図１０の優待情報提供処理のステップＳ１０８では、これら「徒歩３０分圏」や「自転車１５分圏」のフィールドからエリアコードを読み出すこととなる。
【０１１６】
また、上述した実施形態においては、在宅者人数が多い世帯から多数の在宅者を外出させるほど、その世帯での節電効果が高まる。そこで、図１４のクーポン発行処理のステップＳ２０５において、二人以上と判断していたところを、三人以上や四人以上に変更しても良い。
【０１１７】
また、上述した実施形態においては、図５のユーザマスタテーブル３２は、一人から構成される世帯も登録できるように、示されているが、そうでは無くてもよい。例えば、二人以上や三人以上から構成される世帯しか登録できないようにしても良い。構成員の数が多い世帯ほど電力消費量が高いため、そのような世帯から在宅者を多数外出させるようにすれば、より一層節電効果が期待できるからである。
【図面の簡単な説明】
【０１１８】
【図１】本実施形態であるコンピュータネットワークシステムを概略的に示す構成図
【図２】業者用端末装置及び世帯用端末装置を概略的に示す構成図
【図３】サーバ装置を概略的に示す構成図
【図４】業者マスタテーブルの内容を概念的に説明するためのデータ構造図
【図５】ユーザマスタテーブルの内容を概念的に説明するためのデータ構造図
【図６】エリアマスタテーブルの内容を概念的に説明するためのデータ構造図
【図７】予約管理テーブルの内容を概念的に説明するためのデータ構造図
【図８】業者登録用画面の画面例
【図９】世帯登録用画面の画面例
【図１０】優待情報提供処理の内容を説明するためのフローチャート
【図１１】節電協力依頼と略地図とが記載された電子メールの一つを例示した図
【図１２】予約受付画面の画面例
【図１３】予約内容が記載された電子メールの一つを例示した図
【図１４】クーポン発行処理の内容を説明するためのフローチャート
【図１５】予約不可通知と予約催促とが記載された電子メールの一つを例示した図
【図１６】予約済通知と優待不可通知とが記載された電子メールの一つを例示した図
【符号の説明】
【０１１９】
１０    業者用端末装置
１０ａ  ＣＰＵ
１０ｂ  ＲＡＭ
１０ｃ  表示装置
１０ｄ  入力装置
１０ｅ  通信制御装置
１０ｆ  記憶装置
１１    ウェブブラウザ
１２    メーラ
２０    世帯用端末装置
２０ａ  ＣＰＵ
２０ｂ  ＲＡＭ
２０ｃ  表示装置
２０ｄ  入力装置
２０ｅ  通信制御装置
２０ｆ  記憶装置
３０    サーバ装置
３０ａ  ＣＰＵ
３０ｂ  ＲＡＭ
３０ｃ  表示装置
３０ｄ  入力装置
３０ｅ  通信制御装置
３０ｆ  ＨＤＤ
３１    業者マスタテーブル
３２    ユーザマスタテーブル
３３    エリアマスタテーブル
３４    予約管理テーブル
３５    業者情報登録プログラム
３６    ユーザ情報登録プログラム
３７    優待情報提供プログラム
３８    予約受付通知プログラム
３９    クーポン発行プログラム
【図１】
2005099991.tif 000003
【図２】
2005099991.tif 000004
【図３】
2005099991.tif 000005
【図４】
2005099991.tif 000006
【図５】
2005099991.tif 000007
【図６】
2005099991.tif 000008
【図７】
2005099991.tif 000009
【図８】
2005099991.tif 000010
【図９】
2005099991.tif 000011
【図１０】
2005099991.tif 000012
【図１１】
2005099991.tif 000013
【図１２】
2005099991.tif 000014
【図１３】
2005099991.tif 000015
【図１４】
2005099991.tif 000016
【図１５】
2005099991.tif 000017
【図１６】
2005099991.tif 000018